(57)【要約】【課題】墓所外柵コーナーの内側壁を互いに締結すると共に、その外柵コーナーの内側壁を墓所基礎コンクリート床に締結する止め金具を提供する。【解決手段】止め金具１０を、外柵コーナーの内側壁１３２、１３４に圧接させた状態で固定するＬ字幅細帯板１２であって、その右帯板１５の表面に第１アンカーボルトを挿通する第１横長穴１６が開口され、その左帯板１７の表面に第２アンカーボルトを挿通する第２横長穴１８が開口されたＬ字幅細帯板１２と、該Ｌ字幅細帯板の内側底面を覆う底板１４であって、その表面に第３アンカーボルト又はボルト棒を挿通する穴１９が開口された底板１４とから形成する。【選択図】図１
2009150191.tif 000002
【特許請求の範囲】
【請求項１】
墓所外柵コーナーの内側壁に圧接させた状態で固定するＬ字幅細帯板と、該Ｌ字幅細帯板の内側底面を覆う底板とからなる止め金具であって、
前記Ｌ字幅細帯板の右帯板の表面に、第１アンカーボルトを挿通する第１横長穴が開口され、前記Ｌ字幅細帯板の左帯板の表面に、第２アンカーボルトを挿通する第２横長穴が開口され、前記底板の表面に、第３アンカーボルト又はボルト棒を挿通する穴が開口されてなることを特徴とする、墓所外柵コーナーの止め金具。
【請求項２】
前記Ｌ字幅細帯板の折曲箇所外側に補強用のダボが押刻されてなることを特徴とする、請求項１記載の墓所外柵コーナーの止め金具。
【請求項３】
請求項１又は２記載の金具と組み合わせて用いる、墓所外柵コーナーの内側壁に圧接させた状態で固定するＬ字幅細帯板からなる止め金具であって、
前記Ｌ字幅細帯板の右帯板の表面に、第４アンカーボルトを挿通する第４横長穴が開口され、前記Ｌ字幅細帯板の左帯板の表面に、第５アンカーボルトを挿通する第５横長穴が開口されてなることを特徴とする、墓所外柵コーナーの止め金具。
【請求項４】
前記Ｌ字幅細帯板の折曲箇所外側に補強用のダボが押刻されてなることを特徴とする、請求項３記載の墓所外柵コーナーの止め金具。
【請求項５】
次のステップを含むことを特徴とする、墓所外柵コーナーの止め金具の使用方法。
ａ．請求項１又は２記載の止め金具のＬ字幅細帯板の右及び左帯板をそれぞれ圧接させた状態で固定する墓所外柵コーナーの右及び左内側壁下端であって、その右及び左帯板の表面に開口された第１及び第２横長穴の直下に位置する外柵コーナーの右及び左内側壁下端に、その右及び左帯板表面の第１及び第２横長穴に挿通する第１及び第２アンカーボルト下端のアンカー部を打ち込む第１及び第２アンカー穴をそれぞれ開口するステップ。
ｂ．前記止め金具のＬ字幅細帯板の右及び左帯板表面の第１及び第２横長穴に第１及び第２アンカーボルトをそれぞれ挿通して、それらの第１及び第２アンカーボルト下端のアンカー部を前記第１及び第２アンカー穴にそれぞれ打ち込み、それらの第１及びアンカーボルトを外柵コーナーの右及び左内側壁下端にそれぞれ起立させた状態で固定するステップ。
ｃ．前記止め金具の右及び左帯板表面の外方に突出する第１及び第２アンカーボルト部分にそれぞれ螺嵌された第１及び第２ナットをそれぞれ締め付けて、前記Ｌ字幅細帯板の右及び左帯板を、外柵コーナーの右及び左内側壁下端にそれぞれ圧接させた状態で固定するステップ。
ｄ．前記止め金具のＬ字帯板の右及び左帯板を、それらを圧接させた状態で固定する外柵コーナーの右及び左内側壁下端にそれぞれあてがった状態において、その止め金具の底板表面に開口された穴の直下に位置する墓所外柵コーナーの内側に覗く基礎コンクリート床に、その止め金具の底板表面の穴に挿通する第３アンカーボルト下端のアンカー部を打ち込む第３アンカー穴を開口するステップ。
ｅ．前記止め金具の底板表面の穴に、第３アンカーボルトを挿通して、その第３アンカーボルト下端のアンカー部を、前記第３アンカー穴に打ち込み、外柵コーナーの内側に覗く基礎コンクリート床に第３アンカーボルトを起立させた状態で固定するステップ。
ｆ．前記止め金具の底板表面の外方に突出する第３アンカーボルト部分に螺嵌された第３ナットを締め付けて、その止め金具の底板を外柵コーナーの内側に覗く基礎コンクリート床に圧接させた状態で固定するステップ。
【請求項６】
前記第１ナットと右帯板との間、前記第２ナットと左帯板との間、前記第３ナットと底板との間の少なくとも１つ以上に、座金を介在させることを特徴とする、請求項５記載の墓所外柵コーナーの止め金具の使用方法。
【請求項７】
次のステップを含むことを特徴とする、墓所外柵コーナーの止め金具の使用方法。
ａ．請求項１又は２記載の止め金具のＬ字幅細帯板の右及び左帯板をそれぞれ圧接させた状態で固定する墓所外柵コーナーの右及び左内側壁中途部であって、その右及び左帯板の表面に開口された第１及び第２横長穴の直下に位置する外柵コーナーの右及び左内側壁中途部に、その右及び左帯板表面の第１及び第２横長穴に挿通する第１及び第２アンカーボルト下端のアンカー部を打ち込む第１及び第２アンカー穴をそれぞれ開口するステップ。
ｂ．前記止め金具のＬ字幅細帯板の右及び左帯板表面の第１及び第２横長穴に第１及び第２アンカーボルトをそれぞれ挿通して、それらの第１及び第２アンカーボルト下端のアンカー部を、前記第１及び第２アンカー穴にそれぞれ打ち込み、第１及び第２アンカーボルトを、外柵コーナーの右及び左内側壁中途部にそれぞれ起立させた状態で固定するステップ。
ｃ．前記止め金具の右及び左帯板表面の外方に突出する第１及び第２アンカーボルト部分にそれぞれ螺嵌された第１及び第２ナットをそれぞれ締め付けて、前記Ｌ字幅細帯板の右及び左帯板を、外柵コーナーの右及び左内側壁中途部にそれぞれ圧接させた状態で固定するステップ。
ｄ．前記止め金具のＬ字幅細帯板の右及び左帯板を、それらを圧接させた状態で固定する外柵コーナーの右及び左内側壁中途部にそれぞれあてがった状態において、その止め金具の底板表面に開口された穴の下方に位置する墓所外柵コーナーの内側に覗く基礎コンクリート床に、上端に雌ネジ穴が開口された第６アンカーを打ち込む第６アンカー穴を開口するステップ。
ｅ．前記第６アンカー穴に、第６アンカーを打ち込んで、外柵コーナーの内側に覗く基礎コンクリート床に第６アンカーを起立させた状態で固定するステップ。
ｆ．前記止め金具の底板表面の穴に、ボルト棒を挿通して、そのボルト棒下端を、前記基礎コンクリート床に起立させた状態で固定された第６アンカー上端の雌ネジ穴に螺挿して締め付け、そのボルト棒を第６アンカーに起立させた状態で固定するステップ。
ｇ．前記止め金具の底板の表面と裏面の外方に突出するボルト棒部分にそれぞれ螺嵌された第７ナット及び第８ナットをそれぞれ締め付けて、それらの第７及び第８ナットの間に止め金具の底板を挟み込み、その止め金具の底板をボルト棒中途部に固定するステップ。
【請求項８】
前記第１ナットと右帯板との間、前記第２ナットと左帯板との間、前記第７ナットと底板との間、前記第８ナットと底板との間の少なくとも１つ以上に、座金を介在させることを特徴とする、請求項７記載の墓所外柵コーナーの止め金具の使用方法。
【請求項９】
次のステップを含むことを特徴とする、墓所外柵コーナーの止め金具の使用方法。
ａ．請求項１又は２記載の止め金具のＬ字幅細帯板の右及び左帯板をそれぞれ圧接させた状態で固定する墓所外柵コーナーの右及び左内側壁下端であって、その右及び左帯板の表面に開口された第１及び第２横長穴の直下に位置する外柵コーナーの右及び左内側壁下端に、その右及び左帯板表面の第１及び第２横長穴に挿通する第１及び第２アンカーボルト下端のアンカー部を打ち込む第１及び第２アンカー穴をそれぞれ開口するステップ。
ｂ．前記止め金具のＬ字幅細帯板の右及び左帯板表面の第１及び第２横長穴に第１及び第２アンカーボルトをそれぞれ挿通して、それらの第１及び第２アンカーボルト下端のアンカー部を前記第１及び第２アンカー穴にそれぞれ打ち込み、それらの第１及びアンカーボルトを外柵コーナーの右及び左内側壁下端にそれぞれ起立させた状態で固定するステップ。
ｃ．前記止め金具の右及び左帯板表面の外方に突出する第１及び第２アンカーボルト部分にそれぞれ螺嵌された第１及び第２ナットをそれぞれ締め付けて。前記Ｌ字幅細帯板の右及び左帯板を、外柵コーナーの右及び左内側壁下端にそれぞれ圧接させた状態で固定するステップ。
ｄ．前記止め金具のＬ字帯板の右及び左帯板を、それらを圧接させた状態で固定する外柵コーナーの右及び左内側壁下端にそれぞれあてがった状態において、その止め金具の底板表面に開口された穴の直下に位置する墓所外柵コーナーの内側に覗く基礎コンクリート床に、その止め金具の底板表面の穴に挿通する第３アンカーボルト下端のアンカー部を打ち込む第３アンカー穴を開口するステップ。
ｅ．前記止め金具の底板表面の穴に、第３アンカーボルトを挿通して、その第３アンカーボルト下端のアンカー部を、前記第３アンカー穴に打ち込み、外柵コーナーの内側に覗く基礎コンクリート床に第３アンカーボルトを起立させた状態で固定するステップ。
ｆ．前記止め金具の底板表面の外方に突出する第３アンカーボルト部分に螺嵌された第３ナットを締め付けて、その止め金具の底板を外柵コーナーの内側に覗く基礎コンクリート床に圧接させた状態で固定するステップ。
ｇ．請求項３又は４記載の止め金具のＬ字幅細帯板の右及び左帯板をそれぞれ圧接させた状態で固定する墓所外柵コーナーの右及び左内側壁中途部であって、その右及び左帯板の表面に開口された第４及び第５横長穴の直下に位置する外柵コーナーの右及び左内側壁中途部に、その右及び左帯板表面の穴に挿通する第４及び第５アンカーボルト下端のアンカー部を打ち込む第４及び第５アンカー穴をそれぞれ開口するステップ。
ｈ．前記止め金具のＬ字帯板の右及び左帯板表面の第４及び第５横長穴に第４及び第５アンカーボルトをそれぞれ挿通して、それらの第４及び第５アンカーボルト下端のアンカー部を前記第４及び第５アンカー穴にそれぞれ打ち込み、それらの第４及び第５アンカーボルトを、外柵コーナーの右及び左内側壁中途部にそれぞれ起立させた状態で固定するステップ。
ｉ．前記止め金具の右及び左帯板表面の外方に突出する第４及び第５アンカーボルト部分にそれぞれ螺嵌された第４及び第５ナットをそれぞれ締め付けて、前記Ｌ字幅細帯板の右及び左帯板を外柵コーナーの右及び左内側壁中途部にそれぞれ圧接させた状態で固定するステップ。
【請求項１０】
前記第１ナットと右帯板との間、前記第２ナットと左帯板との間、前記第３ナットと底板との間、前記第４ナットと右帯板との間、前記第５ナットと左帯板との間の少なくとも１つ以上に、座金を介在させることを特徴とする、請求項９記載の墓所外柵コーナーの止め金具の使用方法。
【発明の詳細な説明】
【技術分野】
【０００１】
本発明は、墓所の外柵コーナーの内側壁を互いに締結すると共に、その外柵コーナーの内側壁を墓所の基礎コンクリート床に締結する、止め金具とその使用方法に関する。
【背景技術】
【０００２】
上記止め金具として、特許第３８８６４７７号公報に記載されたものがある。
この止め金具８０は、図１１及び図１２に示されたように、上下に長いＬ字幅広帯板８２の内側底部が三角形状の底板８４で覆われた形状をしている。Ｌ字幅広帯板の右及び左帯板８５、８７の上下表面と底板８４表面には、アンカーボルトを挿通する丸穴８８、８９がそれぞれ開口されている。
この止め金具８０を用いて、墓所外柵コーナーの右及び左内側壁１３２、１３４を互いに締結すると共に、その外柵コーナーの内側壁１３２、１３４を基礎コンクリート床１１０に締結する場合には、図１２に示されたように、そのＬ字幅広帯板の右及び左帯板８５、８７を外柵コーナーの右及び左内側壁１３２、１３４にあてがった状態で、その右及び左帯板の上下表面に開口された丸穴８８にアンカーボルト４０をそれぞれ挿通して、それらのアンカーボルト下端のアンカー部（図示せず）を、その丸穴直下の外柵コーナーの内側壁１３２、１３４に予め開口されたアンカー穴（図示せず）にそれぞれ打ち込んで固定している。次いで、その右及び左帯板８５、８７表面の外方に突出する雄ネジが刻設されたアンカーボルト部分にそれぞれ螺嵌されたナット４８をそれぞれ締め付けて、その右及び左帯板８５、８７を外柵コーナーの右及び左内側壁１３２、１３４にそれぞれ圧接させた状態で固定している。それと共に、そのＬ字幅広帯板の内側底部を覆う底板８４表面に開口された丸穴８９にアンカーボルト４０を挿通して、そのアンカーボルト下端のアンカー部を、その丸穴直下の外柵コーナーの内側に覗く基礎コクンリート床１１０に予め開口されたアンカー穴（図示せず）に打ち込んで固定している。次いで、その底板８４表面の外方に突出する雄ネジが刻設されたアンカーボルト部分に螺嵌されたナット４８を締め付けて、その底板８４を外柵コーナーの内側に覗く基礎コンクリート床１１０に圧接させた状態で固定している。
【特許文献１】特許第３８８６４７７号公報
【発明の開示】
【発明が解決しようとする課題】
【０００３】
しかしながら、上記止め金具８０は、図１２に示されたように、そのＬ字幅広帯板の右及び左帯板８５、８７を、外柵コーナーの左右の内側壁１３２、１３４の上端を除く上下のほぼ全長に亙って、連続して縦に長く圧接させる構造をしている。
他方、外柵１３０は、約３０ｃｍの丈の高いものから、１５〜１６ｃｍの丈の短いもの、１７〜１８ｃｍの中間丈のもの等と、高低様々の丈のものが存在する。
従って、上記止め金具においては、それら高低様々の丈の外柵に合致する、様々の上下幅を持つ多種類の止め金具を、それぞれ別々に製造する必要があった。そのために、その製造コストガ嵩んだ。また、その使用に際しても、様々の丈の外柵に合う、上下幅を持つ止め金具を選択する必要があって、その取り扱いが複雑で面倒であった。
また、そのＬ字幅広帯板８２が、外柵コーナーの内側壁１３２、１３４の上端を除く上下のほぼ全長に亙って隙間なく連続して幅広く圧接させる構造をしていて、その上下に長いＬ字幅広帯板８２の材料費が嵩む難点があった。特に、止め金具８０を高価なステンレス等を用いて形成した場合には、その材料費が大幅に嵩んだ。
さらに、上記止め金具８０の右及び左帯板の上下表面に開口されたアンカーボルトを挿通する穴が、アンカーボルト４０の外径よりも若干内径が大径の丸穴８８であるために、その丸穴の直下に位置する外柵コーナーの内側壁１３２、１３４に予め開口されたアンカー穴の中心位置が、その丸穴８８の位置から若干外れた状態にあると、そのアンカー穴に、止め金具の右及び左帯板の上下表面に開口された丸穴８８に挿通したアンカーボルト下端のアンカー部を打ち込む作業に困難を極めた。そして、極端な場合は、そのアンカーボルト下端のアンカー部をアンカー穴に打ち込んで、その右及び左帯板の上下表面や底板表面の外方に突出した雄ネジが刻設されたアンカーボルト部分に螺嵌されたナット４８を締め付けた際に、止め金具の右及び左帯板８５、８７が外柵コーナーの右及び左内側壁１３２、１３４にそれぞれ隙間なく圧接された状態とならずに、それらの右及び左内側壁１３２、１３４から浮き上がった状態となった。そして、その止め金具８０を用いて、外柵コーナーの右及び左内側壁１３２、１３４を互いに動かぬように確実に締結できなかった。
【０００４】
本発明は、このような課題を解消可能な、墓所外柵コーナーの止め金具（以下、止め金具という）を提供することを目的としている。
【課題を解決するための手段】
【０００５】
このような目的を達成するために、本発明の第１の止め金具は、墓所外柵コーナーの内側壁に圧接させた状態で固定するＬ字幅細帯板と、該Ｌ字幅細帯板の内側底面を覆う底板とからなる止め金具であって、
前記Ｌ字幅細帯板の右帯板の表面に、第１アンカーボルトを挿通する第１横長穴が開口され、前記Ｌ字幅細帯板の左帯板の表面に、第２アンカーボルトを挿通する第２横長穴が開口され、前記底板の表面に、第３アンカーボルト又はボルト棒を挿通する穴が開口されてなることを特徴としている。
【０００６】
また、本発明の第２の止め金具は、本発明の第１の止め金具と組み合わせて用いる、墓所外柵コーナーの内側壁に圧接させた状態で固定するＬ字幅細帯板からなる止め金具であって、
前記Ｌ字幅細帯板の右帯板の表面に、第４アンカーボルトを挿通する第４横長穴が開口され、前記Ｌ字幅細帯板の左帯板の表面に、第５アンカーボルトを挿通する第５横長穴が開口されてなることを特徴としている。
【０００７】
また、本発明の第１の墓所外柵コーナーの止め金具の使用方法は、本発明の第１の止め金具を用いるものであって、次のステップを含むことを特徴としている。
ａ．本発明の第１の止め金具のＬ字幅細帯板の右及び左帯板をそれぞれ圧接させた状態で固定する墓所外柵コーナーの右及び左内側壁下端であって、その右及び左帯板の表面に開口された第１及び第２横長穴の直下に位置する外柵コーナーの右及び左内側壁下端に、その右及び左帯板表面の第１及び第２横長穴に挿通する第１及び第２アンカーボルト下端のアンカー部を打ち込む第１及び第２アンカー穴をそれぞれ開口するステップ。
ｂ．前記第１の止め金具のＬ字幅細帯板の右及び左帯板表面の第１及び第２横長穴に第１及び第２アンカーボルトをそれぞれ挿通して、それらの第１及び第２アンカーボルト下端のアンカー部を前記第１及び第２アンカー穴にそれぞれ打ち込み、それらの第１及びアンカーボルトを外柵コーナーの右及び左内側壁下端にそれぞれ起立させた状態で固定するステップ。
ｃ．前記第１の止め金具の右及び左帯板表面の外方に突出する第１及び第２アンカーボルト部分にそれぞれ螺嵌された第１及び第２ナットをそれぞれ締め付けて、前記Ｌ字幅細帯板の右及び左帯板を、外柵コーナーの右及び左内側壁下端にそれぞれ圧接させた状態で固定するステップ。
ｄ．前記第１の止め金具のＬ字帯板の右及び左帯板を、それらを圧接させた状態で固定する外柵コーナーの右及び左内側壁下端にそれぞれあてがった状態において、その第１の止め金具の底板表面に開口された穴の直下に位置する墓所外柵コーナーの内側に覗く基礎コンクリート床に、その第１の止め金具の底板表面の穴に挿通する第３アンカーボルト下端のアンカー部を打ち込む第３アンカー穴を開口するステップ。
ｅ．前記第１の止め金具の底板表面の穴に、第３アンカーボルトを挿通して、その第３アンカーボルト下端のアンカー部を、前記第３アンカー穴に打ち込み、外柵コーナーの内側に覗く基礎コンクリート床に第３アンカーボルトを起立させた状態で固定するステップ。
ｆ．前記第１の止め金具の底板表面の外方に突出する第３アンカーボルト部分に螺嵌された第３ナットを締め付けて、その第１の止め金具の底板を外柵コーナーの内側に覗く基礎コンクリート床に圧接させた状態で固定するステップ。
【０００８】
この第１の止め金具の使用方法は、本発明の第１の止め金具を用いて、丈の短い外柵コーナーの内側壁を互いに締結すると共に、その丈の短い外柵コーナーの内側壁を基礎コンクリート床に締結する方法である。
この方法によれば、その丈の短い外柵コーナーの右及び左内側壁を、それらの右及び左内側壁下端に圧接させた状態で固定した第１の止め金具のＬ字幅細帯板の右及び左帯板を介して、互いに動かぬように締結できる。それと共に、外柵コーナーの内側に覗く基礎コンクリート床に第３アンカーボルトを用いて圧接させた状態で固定した第１の止め金具の底板及びそれに連なるＬ字幅細帯板を介して、その丈の短い外柵コーナーの内側壁を基礎コンクリート床に動かぬように固定できる。
その際には、第１の止め金具の上下幅が短いＬ字幅細帯板の右及び左帯板を、外柵コーナーの丈の短い右及び左内側壁下端に圧接させた状態で固定するため、その丈の短い外柵コーナーの右及び左内側壁を、その内側壁上端にＬ字幅細帯板で覆われない適度な幅の空間を残して、第１のＬ字幅細帯板により、互いに締結できる。
その結果、その外柵コーナーの中間丈の内側壁の上端にＬ字幅細帯板で覆われない空間が幅広くあいた状態となって、その空間が幅広くあいた左右の内側壁の上端の締結状態が不安定となるのを、防ぐことができる。
また、第１の止め金具のＬ字幅細帯板の右及び左帯板表面に開口された第１及び第２横長穴が横に長く形成されているため、その第１又は第２横長穴に挿通した第１又は第２アンカーボルト下端のアンカー部を、外柵コーナーの内側壁下端に開口された第１又は第２アンカー穴に打ち込む際に、その第１又は第２アンカー穴の位置が横にずれていても、それに合わせて、その第１又は第２アンカーボルトを第１又は第２横長穴に沿って左右に移動させることができる。そして、その第１又は第２横長穴に挿通した第１又は第２アンカーボルト下端のアンカー部を、その位置が横にずれた第１又は第２アンカー穴に支障なく打ち込むことができる。
【０００９】
また、本発明の第２の止め金具の使用方法は、本発明の第１の止め金具を用いるものであって、次のステップを含むことを特徴としている。
ａ．本発明の第１の止め金具のＬ字幅細帯板の右及び左帯板をそれぞれ圧接させた状態で固定する墓所外柵コーナーの右及び左内側壁中途部であって、その右及び左帯板の表面に開口された第１及び第２横長穴の直下に位置する外柵コーナーの右及び左内側壁中途部に、その右及び左帯板表面の穴に挿通する第１及び第２アンカーボルト下端のアンカー部を打ち込む第１及び第２アンカー穴をそれぞれ開口するステップ。
ｂ．前記第１の止め金具のＬ字幅細帯板の右及び左帯板表面の第１及び第２横長穴に第１及び第２アンカーボルトをそれぞれ挿通して、それらの第１及び第２アンカーボルト下端のアンカー部を、前記第１及び第２アンカー穴にそれぞれ打ち込み、第１及び第２アンカーボルトを、外柵コーナーの右及び左内側壁中途部にそれぞれ起立させた状態で固定するステップ。
ｃ．前記第１の止め金具の右及び左帯板表面の外方に突出する第１及び第２アンカーボルト部分にそれぞれ螺嵌された第１及び第２ナットをそれぞれ締め付けて、前記Ｌ字幅細帯板の右及び左帯板を、外柵コーナーの右及び左内側壁中途部にそれぞれ圧接させた状態で固定するステップ。
ｄ．前記第１の止め金具のＬ字幅細帯板の右及び左帯板を、それらを圧接させた状態で固定する外柵コーナーの右及び左内側壁中途部にそれぞれあてがった状態において、その第１の止め金具の底板表面に開口された穴の下方に位置する墓所外柵コーナーの内側に覗く基礎コンクリート床に、上端に雌ネジ穴が開口された第６アンカーを打ち込む第６アンカー穴を開口するステップ。
ｅ．前記第６アンカー穴に、第６アンカーを打ち込んで、外柵コーナーの内側に覗く基礎コンクリート床に第６アンカーを起立させた状態で固定するステップ。
ｆ．前記第１の止め金具の底板表面の穴に、ボルト棒を挿通して、そのボルト棒下端を、前記基礎コンクリート床に起立させた状態で固定された第６アンカー上端の雌ネジ穴に螺挿して締め付け。そのボルト棒を第６アンカーに起立させた状態で固定するステップ。
ｇ．前記第１の止め金具の底板の表面と裏面の外方に突出するボルト棒部分にそれぞれ螺嵌された第７ナット及び第８ナットをそれぞれ締め付けて、それらの第７及び第８ナットの間に止め金具の底板を挟み込み、その止め金具の底板をボルト棒中途部に固定するステップ。
【００１０】
この第２の止め金具の使用方法は、本発明の第１の止め金具を用いて、中間丈の外柵コーナーの内側壁を互いに締結すると共に、その中間丈の外柵コーナーの内側壁を基礎コンクリート床に締結する方法である。
この方法によれば、その中間丈の外柵コーナーの右及び右及び左内側壁を、それらの右及び左内側壁中途部に圧接させた状態で固定した第１の止め金具のＬ字幅細帯板の右及び左帯板を介して、互いに動かぬように締結できる。それと共に、外柵コーナーの内側に覗く基礎コンクリート床にボルト棒及び第６アンカーを用いて固定した第１の止め金具の底板及びそれに連なるＬ字幅細帯板を介して、その中間丈の外柵コーナーの内側壁を基礎コンクリート床に動かぬように固定できる。
その際には、第１の止め金具の上下幅が短いＬ字幅細帯板の右及び左帯板を、外柵コーナーの中間丈の右及び左内側壁中途部に圧接させた状態で固定するため、その中間丈の外柵コーナーの右及び左内側壁を、その内側壁の上端及び下端にＬ字幅細帯板で覆われない適度な幅の空間をそれぞれ残して、第１の止め金具のＬ字幅細帯板により、互いに締結できる。
その結果、その外柵コーナーの中間丈の内側壁の上端又は下端にＬ字幅細帯板で覆われない空間が幅広くあいた状態となって、その空間が幅広くあいた右及び左内側壁の上端又は下端の締結状態が不安定となるのを、防ぐことができる。
また、第１の止め金具のＬ字幅細帯板の右及び左帯板表面に開口された第１及び第２横長穴が横に長く形成されているため、その第１又は第２横長穴に挿通した第１又は第２アンカーボルト下端のアンカー部を、外柵コーナーの内側壁中途部に開口された第１又は第２アンカー穴に打ち込む際に、その第１又は第２アンカー穴の位置が横にずれていても、それに合わせて、その第１又は第２アンカーボルトを第１又は第２横長穴に沿って左右に移動させることができる。そして、その第１又は第２横長穴に挿通した第１又は第２アンカーボルト下端のアンカー部を、その位置が横にずれた第１又は第２アンカー穴に支障なく打ち込むことができる。
【００１１】
また、本発明の第３の止め金具の使用方法は、本発明の第１及び第２の止め金具を用いるものであって、次のステップを含むことを特徴としている。
ａ．本発明の第１の止め金具のＬ字幅細帯板の右及び左帯板をそれぞれ圧接させた状態で固定する墓所外柵コーナーの右及び左内側壁下端であって、その右及び左帯板の表面に開口された第１及び第２横長穴の直下に位置する外柵コーナーの右及び左内側壁下端に、その右及び左帯板表面の第１及び第２横長穴に挿通する第１及び第２アンカーボルト下端のアンカー部を打ち込む第１及び第２アンカー穴をそれぞれ開口するステップ。
ｂ．前記第１の止め金具のＬ字幅細帯板の右及び左帯板表面の第１及び第２横長穴に第１及び第２アンカーボルトをそれぞれ挿通して、それらの第１及び第２アンカーボルト下端のアンカー部を前記第１及び第２アンカー穴にそれぞれ打ち込み、それらの第１及びカーボルトを外柵コーナーの右及び左内側壁下端にそれぞれ起立させた状態で固定するステップ。
ｃ．前記第１の止め金具の右及び左帯板表面の外方に突出する第１及び第２アンカーボルト部分にそれぞれ螺嵌された第１及び第２ナットをそれぞれ締め付けて、前記Ｌ字幅細帯板の右及び左帯板を、外柵コーナーの右及び左内側壁下端にそれぞれ圧接させた状態で固定するステップ。
ｄ．前記第１の止め金具のＬ字帯板の右及び左帯板を、それらを圧接させた状態で固定する外柵コーナーの右及び左内側壁下端にそれぞれあてがった状態において、その第１の止め金具の底板表面に開口された穴の直下に位置する墓所外柵コーナーの内側に覗く基礎コンクリート床に、その第１の止め金具の底板表面の穴に挿通する第３アンカーボルト下端のアンカー部を打ち込む第３アンカー穴を開口するステップ。
ｅ．前記第１の止め金具の底板表面の穴に、第３アンカーボルトを挿通して、その第３アンカーボルト下端のアンカー部を、前記第３アンカー穴に打ち込み、外柵コーナーの内側に覗く基礎コンクリート床に第３アンカーボルトを起立させた状態で固定するステップ。
ｆ．前記第１の止め金具の底板表面の外方に突出する第３アンカーボルト部分に螺嵌された第３ナットを締め付けて、その第１の止め金具の底板を外柵コーナーの内側に覗く基礎コンクリート床に圧接させた状態で固定するステップ。
ｇ．本発明の第２の止め金具のＬ字幅細帯板の右及び左帯板をそれぞれ圧接させた状態で固定する墓所外柵コーナーの右及び左内側壁中途部であって、その右及び左帯板の表面に開口された第４及び第５横長穴の直下に位置する外柵コーナーの右及び左内側壁中途部に、その右及び左帯板表面の穴に挿通する第４及び第５アンカーボルト下端のアンカー部を打ち込む第４及び第５アンカー穴をそれぞれ開口するステップ。
ｈ．前記第２の止め金具のＬ字帯板の右及び左帯板表面の第４及び第５横長穴に第４及び第５アンカーボルトをそれぞれ挿通して、それらの第４及び第５アンカーボルト下端のアンカー部を前記第４及び第５アンカー穴にそれぞれ打ち込み、それらの第４及び第５アンカーボルトを、外柵コーナーの右及び左内側壁中途部にそれぞれ起立させた状態で固定するステップ。
ｉ．前記第２の止め金具の右及び左帯板表面の外方に突出する第４及び第５アンカーボルト部分にそれぞれ螺嵌された第４及び第５ナットをそれぞれ締め付けて、前記Ｌ字幅細帯板の右及び左帯板を外柵コーナーの右及び左内側壁中途部にそれぞれ圧接させた状態で固定するステップ。
【００１２】
この第３の止め金具の使用方法は、本発明の第１及び第２の止め金具を用いて、丈の高い外柵コーナーの内側壁を互いに締結すると共に、その丈の高い外柵コーナーの内側壁を基礎コンクリート床に締結する方法である。
この方法によれば、その丈の高い外柵コーナーの右及び左内側壁を、それらの右及び左内側壁下端に圧接させた状態で固定した第１の止め金具のＬ字幅細帯板の右及び左帯板と、それらの右及び左内側壁中途部に圧接させた状態で固定した第２の止め金具のＬ字幅細帯板の右及び左帯板とを介して、それぞれ互いに動かぬように締結できる。それと共に、その外柵コーナーの内側に覗く基礎コンクリート床に第３アンカーボルトを用いて固定した第１の止め金具の底板及びそれに連なるＬ字幅細帯板を介して、その丈の高い外柵コーナーの内側壁を基礎コンクリート床に動かぬように固定できる。
その際には、第１の止め金具の上下幅が短いＬ字幅細帯板の右及び左帯板を、丈の高い外柵コーナーの左右の内側壁下端に圧接させた状態で固定すると共に、第２の止め金具の上下幅が短いＬ字幅細帯板の右及び左帯板を、丈の高い外柵コーナーの右及び左内側壁中途部に圧接させた状態で固定するため、その丈の高い外柵コーナーの右及び左内側壁を、その内側壁の上端及び中途部にＬ字幅細帯板で覆われない適度な幅の空間をそれぞれ残して、第１及び第２の止め金具のＬ字幅細帯板により、互いに締結できる。
その結果、その丈の高い外柵コーナーの内側壁の上端又は中途部にＬ字幅細帯板で覆われない空間が幅広くあいた状態となって、その空間が幅広くあいた左右の内側壁の上端又は中途部の締結状態が不安定となるのを、防ぐことができる。
また、第１及び第２の止め金具のＬ字幅細帯板の右及び左帯板表面に開口された第１、第２、第４及び第５横長穴が横に長く形成されているため、その第１、第２、第４又は第５横長穴に挿通した第１、第２、第４又は第５アンカーボルト下端のアンカー部を、外柵コーナーの内側壁下端又は中途部に開口された第１、第２、第４又は第５アンカー穴に打ち込む際に、その第１、第２、第４又は第５アンカー穴の位置が横にずれていても、それに合わせて、その第１、第２、第４又は第５アンカーボルトを第１、第２、第４又は第５横長穴に沿って左右に移動させることができる。そして、その第１、第２、第４又は第５横長穴に挿通した第１、第２、第４又は第５アンカーボルト下端のアンカー部を、その位置が横にずれた第１、第２、第４又は第５アンカー穴に支障なく打ち込むことができる。
【００１３】
本発明の第１及び第２の止め金具においては、そのＬ字幅細帯板の折曲箇所外側に補強用のダボが押刻されてなる構造とすると良い。
そして、第１及び第２の止め金具のＬ字幅細帯板の折曲箇所の角度が、広がったり狭まったりして、狂うのを防ぐと良い。
【００１４】
本発明の第１の止め金具の使用方法においては、前記第１ナットと右帯板との間、前記第２ナットと左帯板との間、前記第３ナットと底板との間の少なくとも１つ以上に、座金を介在させると良い。
本発明の第２の止め金具の使用方法においては、前記第１ナットと右帯板との間、前記第２ナットと左帯板との間、前記第７ナットと底板との間、前記第８ナットと底板との間の少なくとも１つ以上に、座金を介在させると良い。
本発明の第３の止め金具の使用方法においては、前記第１ナットと右帯板との間、前記第２ナットと左帯板との間、前記第３ナットと底板との間、前記第４ナットと右帯板との間、前記第５ナットと左帯板との間の少なくとも１つ以上に、座金を介在させると良い。
そして、それらの座金の持つ弾性力を用いて、第１、第２、第３、第４、第５アンカーボルト又はボルト棒に螺嵌されて締め付けられた第１、第２、第３、第４、第５、第７又は第８ナットが緩むのを、防ぐと良い。
また、第１及び第２の止め金具のＬ字幅細帯板の右及び左帯板表面に開口された第１、第２、第４及び第５横長穴の幅を座金の外径近くまで広げて、それらの第１、第２、第４及び第５横長穴に第１、第２、第４及び第５アンカーボルトを挿通し易くしたり、それらの第１、第２、第４及び第５横長穴に挿通した第１、第２、第４及び第５アンカーボルト下端のアンカー部を第１、第２、第４及び第５アンカー穴に打ち込み易くしたりすると良い。
同様に、第１の止め金具の底板表面に開口された穴の内径を座金の外径近くまで広げて、その穴に第３アンカーボルト又はボルト棒を挿通し易くしたり、その穴に挿通した第３アンカーボルト下端のアンカー部を第３アンカー穴に打ち込み易くしたり、又はその穴に挿通したボルト棒下端を第６アンカー上端に開口され雌ネジ穴に螺挿し易くしたりすると良い。
【発明の効果】
【００１５】
以上説明したように、本発明の第１の止め金具を用いた第１の止め金具の使用方法によれば、丈の短い外柵コーナーの右及び左内側壁を、その上端に適度な幅の空間を残して、互いに動かぬように締結すると共に、その丈の短い外柵コーナーの内側壁を基礎コンクリート床に動かぬように固定できる。
また、本発明の第２の止め金具の使用方法によれば、本発明の第１の止め金具を用いて、中間丈の外柵コーナーの右及び左内側壁を、その上端及び下端に適度な幅の空間をそれぞれ残して、互いに動かぬように締結すると共に、その中間丈の外柵コーナーの内側壁を基礎コンクリート床に動かぬように固定できる。
また、本発明の第３の止め金具の使用方法によれば、本発明の第１及び第２の止め金具を用いて、丈の高い外柵コーナーの右及び左内側壁を、その上端及び中途部に適度な幅の空間をそれぞれ残して、互いに動かぬように締結すると共に、その丈の高い外柵コーナーの内側壁を基礎コンクリート床に動かぬように固定できる。
その結果、本発明の第１、第２又は第３の止め金具の使用方法によれば、本発明の第１の止め金具又はそれに加えて本発明の第２の止め金具の２つ以下の少ない数の止め金具を用いて、高低様々の丈の外柵コーナーの右及び左内側壁を互いに締結すると共に、その高低様々の丈の外柵コーナーの内側壁を基礎コンクリート床に固定できる。そして、その止め金具の使用勝手を大幅に改善して容易化できる。
また、本発明の第１及び第２の止め金具のＬ字幅細帯板は、その上下幅が狭いため、そのＬ字幅細帯板の材料費を節約できる。
さらに、外柵コーナーの内側壁下端又は中途部に開口された第１、第２、第３又は第４アンカー穴の位置が横にずれていても、その第１、第２、第３又は第４横長穴に挿通した第１、第２、第３又は第４アンカーボルトを第１、第２、第３又は第４横長穴に沿って左右に移動させて、その第１、第２、第３又は第４アンカーボルト下端のアンカー部を、その位置が横ずれた第１、第２、第３又は第４アンカー穴に支障なく打ち込むことが可能となる。
【発明を実施するための最良の形態】
【００１６】
次に、本発明の実施の形態を図面に従い説明する。
図１と図２は本発明の第１の止め金具の内側と外側の斜視図、図３と図４は本発明の第２の止め金具の内側と外側の斜視図である。以下に、この第１及び第２の止め金具を説明する。
【００１７】
図５は、墓所の構造を示している。この墓所の構造を説明すると、墓所表面は、その中央の遺骨収納部１００を除いて、基礎コンクリート床１１０で覆われている。遺骨収納部の底部１０２には、遺骨を地中に戻すために、地面が露出している。遺骨収納部の上端面１０４には、墓石１２０が搭載されて、その墓遺骨収納部の上端面１０４が墓石１２０により覆われている。墓石１２０周囲は、一定の間隔をあけて、外柵１３０で方形状に囲まれている。外柵１３０は、基礎コンクリート床１１０上面に方形ブロック状の御影石等を縦横に起立させて並べて形成されている。外柵１３０と墓石１２０との間の基礎コンクリート床１１０には、破砕石１４０が敷かれて、その破砕石１４０上にコンクリート床１５０が形成されている。コンクリート床１５０上面は、外柵１３０上端よりも若干丈低く形成されていて、そのコンクリート床１５０上面に玉砂利１６０が敷き詰められている。本発明の第１や第２の止め金具は、このような構造の墓所外柵１３０コーナーの右及び左内側壁を互いに締結すると共に、その外柵１３０コーナーの内側壁を基礎コンクリート床１１０に固定するのに用いられる。
【００１８】
以下に、その第１及び第２の止め金具を説明する。
第１の止め金具１０は、図１と図２に示したように、墓所外柵コーナーの右及び左内側壁に圧接させた状態で固定するＬ字幅細帯板１２と、そのＬ字幅細帯板１２の内側底面を覆う底板１４とからなっている。
Ｌ字幅細帯板の右帯板１５の表面には、第１アンカーボルトを挿通する第１横長穴１６が開口されている。また、Ｌ字幅細帯板の左帯板１７の表面には、第２アンカーボルトを挿通する第２横長穴１８が開口されている。さらに、底板１４の表面には、第３アンカーボルト又は全長に亙って雄ネジが刻設されたボルト棒を挿通する穴１９が開口されている。
【００１９】
それに対して、第２の止め金具２０は、第１の止め金具１０と組み合わせて用いるものであって、図３と図４に示したように、墓所外柵１３０コーナーの右及び左内側壁に圧接させた状態で固定するＬ字幅細帯板２２からなっている。
Ｌ字幅細帯板の右帯板２５の表面には、第４アンカーボルトを挿通する第４横長穴２６が開口されている。また、Ｌ字幅細帯板の左帯板２７の表面には、第５アンカーボルトを挿通する第５横長穴２８が開口されている。
【００２０】
加えて、図１〜図４に示した第１及び第２の止め金具においては、そのＬ字幅細帯板の折曲箇所１１、２１外側の上下２カ所に補強用のダボ３０が押刻されている。そして、そのＬ字幅細帯板の折曲箇所１１、２１の角度が、広がったり狭まったりせずに、直角に保たれるようにしている。
【００２１】
第１及び第２の止め金具は、以上のように構成されている。
次に、本発明の第１の止め金具を用いた、本発明の第１の止め金具の使用方法を説明する。
この方法は、図６に示したような、例えば１５ｃｍ前後の丈の低い外柵１３０コーナーの右及び左内側壁１３２、１３４を互いに締結すると共に、その外柵コーナーの内側壁１３２、１３４を基礎コンクリート床１１０に固定する方法である。
以下の説明で、アンカーボルトとは、図９に示したような、打ち込みアンカーボルト４０のことをいう。打ち込みアンカーボルト４０は、その下端に設けられたアンカー部４２を、アンカー穴４６に打ち込むと、例えば、そのアンカー部４２の周囲側壁に並ぶ複数の係止爪４４がアンカー穴４６内で外側に広がって、そのアンカー部４２がアンカー穴４６内に抜け出ぬように固定される構造をしている。アンカーボルト４０上部の雄ネジが刻設された箇所には、ナット４８が螺嵌されている。
また、上端に雌ネジ穴が開口されたアンカーとは、図１０に示したような、打ち込みアンカー５０のことをいう。打ち込みアンカー５０は、その下端５２を、アンカー穴５６に打ち込むと、例えば、そのアンカー下端の周囲側壁に並ぶ複数の係止爪５４がアンカー穴５６内で外側に広がって、そのアンカー下端５２がアンカー穴５６内に抜け出ぬように固定される構造をしている。打ち込みアンカー５０上端には、ボルト棒を螺挿する雌ネジ穴５５が開口されている。
この第１の使用方法では、まず、ａのステップにおいて、第１の止め金具１０のＬ字幅細帯板の右及び左帯板１５、１７をそれぞれ圧接させた状態で固定する墓所外柵コーナーの右及び左内側壁１３２、１３４下端であって、その右及び左帯板の表面に開口された第１及び第２横長穴１６、１８の直下に位置する外柵コーナーの右及び左内側壁１３２、１３４下端に、その右及び左帯板表面の第１及び第２横長穴１６、１８に挿通する第１及び第２アンカーボルト４０下端のアンカー部４２を打ち込む第１及び第２アンカー穴４６をそれぞれ開口する。
次いで、ｂのステップにおいて、第１の止め金具１０のＬ字幅細帯板の右及び左帯板１５、１７表面の第１及び第２横長穴１６、１８に第１及び第２アンカーボルト４０をそれぞれ挿通して、それらの第１及び第２アンカーボルト下端のアンカー部４２を前記第１及び第２アンカー穴４６にそれぞれ打ち込み、それらの第１及びアンカーボルト４０を外柵コーナーの右及び左内側壁１３２、１３４下端にそれぞれ起立させた状態で固定する。
その後、ｃのステップにおいて、第１の止め金具の右及び左帯板１５、１７表面の外方に突出する雄ネジが刻設された第１及び第２アンカーボルト部分にそれぞれ螺嵌された第１及び第２ナット４８をそれぞれ締め付けて、前記Ｌ字幅細帯板の右及び左帯板１５、１７を、外柵コーナーの右及び左内側壁１３２、１３４下端にそれぞれ圧接させた状態で固定する。
それに前後して、ｄのステップにおいて、第１の止め金具１０のＬ字帯板の右及び左帯板１５、１７を、それらを圧接させた状態で固定する外柵コーナーの右及び左内側壁１３２、１３４下端にそれぞれあてがった状態において、その第１の止め金具の底板１４表面に開口された穴１９の直下に位置する墓所外柵コーナーの内側に覗く基礎コンクリート床１１０に、その第１の止め金具の底板表面の穴１９に挿通する第３アンカーボルト４０下端のアンカー部４２を打ち込む第３アンカー穴４６を開口する。
次いで、ｅのステップにおいて、第１の止め金具の底板表面の穴１９に、第３アンカーボルト４０を挿通して、その第３アンカーボルト下端のアンカー部４２を、前記第３アンカー穴４６に打ち込み、外柵コーナーの内側に覗く基礎コンクリート床１１０に第３アンカーボルト４０を起立させた状態で固定する。
その後、ｆのステップにおいて、第１の止め金具の底板１４表面の外方に突出する雄ネジが刻設された第３アンカーボルト部分に螺嵌された第３ナット４８を締め付けて、その第１の止め金具の底板１４を外柵コーナーの内側に覗く基礎コンクリート床１１０に圧接させた状態で固定する。
【００２２】
この第１の止め金具の使用方法によれば、その例えば１５ｃｍ前後の丈の短い外柵コーナーの右及び左内側壁１３２、１３４を、それらの右及び左内側壁下端に圧接させた状態で固定した第１の止め金具のＬ字幅細帯板の右及び左帯板１５、１７を介して、互いに動かぬように締結できる。それと共に、その外柵コーナーの内側に覗く基礎コンクリート床１１０に第３アンカーボルト４０を用いて圧接させた状態で固定した第１の止め金具の底板１４及びそれに連なるＬ字幅細帯板１２を介して、その丈の短い外柵コーナーの内側壁１３２、１３４を基礎コンクリート床１１０に動かぬように固定できる。
その際には、その第１の止め金具の上下幅が短いＬ字幅細帯板１２により、丈の短い外柵コーナーの左右の内側壁１３２、１３４を、その内側壁１３２、１３４上端にＬ字幅細帯板１２で覆われない適度な幅の空間を残して、互いに締結できる。
また、第１の止め金具のＬ字幅細帯板の右及び左帯板表面に開口された第１及び第２横長穴１６、１８に挿通した第１又は第２アンカーボルト４０下端のアンカー部４２を、外柵コーナーの内側壁１３２、１３４下端に開口された第１又は第２アンカー穴４６に打ち込む際には、その第１又は第２アンカー穴４６の位置が横にずれていても、それに合わせて、その第１又は第２アンカーボルト４０を第１又は第２横長穴１６、１８に沿って左右に移動させることができる。そして、その第１又は第２横長穴１６、１８に挿通した第１又は第２アンカーボルト下端のアンカー部４２を、その位置が横にずれた第１又は第２アンカー穴４６に支障なく打ち込むことができる。
【００２３】
次に、本発明の第１の止め金具を用いた、本発明の第２の止め金具の使用方法を説明する。
この方法は、図７に示したような、例えば１７〜１８ｃｍ前後の中間丈の外柵コーナーの左右の内側壁１３２、１３４を互いに締結すると共に、その外柵コーナーの内側壁１３２、１３４を基礎コンクリート床１１０に固定する方法である。
この第２の使用方法では、まず、ａのステップにおいて、第１の止め金具１０のＬ字幅細帯板の右及び左帯板１５、１７をそれぞれ圧接させた状態で固定する墓所外柵コーナーの右及び左内側壁１３２、１３４中途部であって、その右及び左帯板の表面に開口された第１及び第２横長穴１６、１８の直下に位置する外柵コーナーの右及び左内側壁１３２、１３４中途部に、その右及び左帯板表面の穴に挿通する第１及び第２アンカーボルト下端のアンカー部４２を打ち込む第１及び第２アンカー穴４６をそれぞれ開口する。
次いで、ｂのステップにおいて、第１の止め金具１０のＬ字幅細帯板の右及び左帯板表面の第１及び第２横長穴１６、１８に第１及び第２アンカーボルト４０をそれぞれ挿通して、それらの第１及び第２アンカーボルト下端のアンカー部４２を、前記第１及び第２アンカー穴４６にそれぞれ打ち込み、第１及び第２アンカーボルト４０を、外柵コーナーの右及び左内側壁１３２、１３４中途部にそれぞれ起立させた状態で固定する。
その後、ｃのステップにおいて、第１の止め金具１０の右及び左帯板表面の外方に突出する雄ネジが刻設された第１及び第２アンカーボルト部分にそれぞれ螺嵌された第１及び第２ナット４８をそれぞれ締め付けて、前記Ｌ字幅細帯板の右及び左帯板１５、１７を、外柵コーナーの右及び左内側壁１３２、１３４中途部にそれぞれ圧接させた状態で固定する。
それに前後して、ｄのステップにおいて、第１の止め金具１０のＬ字幅細帯板の右及び左帯板１５、１７を、それらを圧接させた状態で固定する外柵コーナーの右及び左内側壁１３２、１３４中途部にそれぞれあてがった状態において、その第１の止め金具の底板表面に開口された穴１９の下方に位置する墓所外柵コーナーの内側に覗く基礎コンクリート床１１０に、上端に雌ネジ穴５５が開口された第６アンカー５０を打ち込む第６アンカー穴５６を開口する。
次いで、ｅのステップにおいて、前記第６アンカー穴５６に、第６アンカー５０を打ち込んで、外柵コーナーの内側に覗く基礎コンクリート床１１０に第６アンカー５０を起立させた状態で固定する。
次いで、ｆのステップにおいて、前記第１の止め金具の底板表面の穴１９に、全長に亙って雄ネジが刻設されたボルト棒６０を挿通して、そのボルト棒６０下端を、前記基礎コンクリート床１１０に起立させた状態で固定された第６アンカー上端の雌ネジ穴５５に螺挿して締め付け、そのボルト棒６０を第６アンカー５０に起立させた状態で固定する。
その後、ｇのステップにおいて、前記第１の止め金具の底板１４の表面と裏面の外方に突出するボルト棒６０部分にそれぞれ螺嵌された第７及び第８ナット４８をそれぞれ締め付けて、それらの第７及び第８ナット４８の間に止め金具の底板１４を挟み込み、その止め金具の底板１４をボルト棒６０中途部に固定する。
【００２４】
この第２の止め金具の使用方法によれば、その例えば１７〜１８ｃｍ前後の中間丈の外柵コーナーの右及び左内側壁１３２、１３４を、それらの右及び左内側壁中途部に圧接させた状態で固定した第１の止め金具のＬ字幅細帯板の右及び左帯板１５、１７を介して、互いに動かぬように締結できる。それと共に、外柵コーナーの内側に覗く基礎コンクリート床１１０にボルト棒６０及び第６アンカー５０を用いて固定した第１の止め金具の底板１４及びそれに連なるＬ字幅細帯板１２を介して、その中間丈の外柵コーナーの内側壁１３２、１３４を基礎コンクリート床１１０に動かぬように固定できる。
その際には、その第１の止め金具の上下幅が短いＬ字幅細帯板１２により、中間丈の外柵コーナーの右及び左内側壁１３２、１３４を、その内側壁１３２、１３４の上端及び下端にＬ字幅細帯板１２で覆われない適度な幅の空間をそれぞれ残して、互いに締結できる。
また、第１の止め金具の第１又は第２横長穴１６、１８に挿通した第１又は第２アンカーボルト下端のアンカー部４２を、外柵コーナーの内側壁１３２、１３４下端又は中途部に開口された第１又は第２アンカー穴４６に打ち込む際には、その第１又は第２アンカー穴４６の位置が横にずれていても、それに合わせて、その第１又は第２アンカーボルト４０を第１及び第２横長穴１６、１８に沿って左右に移動させることができる。そして、その第１及び第２横長穴１６、１８に挿通した第１又は第２アンカーボルト下端のアンカー部４２を、その位置が横にずれた第１又は第２アンカー穴４６に支障なく打ち込むことができる。
【００２５】
次に、本発明の第１及び第２の止め金具を用いた、本発明の第３の止め金具の使用方法を説明する。
この方法は、図８示したような、例えば３０ｃｍ前後の丈の高い外柵コーナーの左右の内側壁１３２、１３４を互いに締結すると共に、その外柵コーナーの内側壁１３２、１３４を基礎コンクリート床１１０に固定する方法である。
この第３の使用方法では、まず、ａのステップにおいて、第１の止め金具１０のＬ字幅細帯板の右及び左帯板１５、１７をそれぞれ圧接させた状態で固定する墓所外柵コーナーの右及び左内側壁１３２、１３４下端であって、その右及び左帯板の表面に開口された第１及び第２横長穴１６、１８の直下に位置する外柵コーナーの右及び左内側壁１３２、１３４下端に、その右及び左帯板表面の第１及び第２横長穴１６、１８に挿通する第１及び第２アンカーボルト下端のアンカー部４２を打ち込む第１及び第２アンカー穴４６をそれぞれ開口する。
次いで、ｂのステップにおいて、前記第１の止め金具１０のＬ字幅細帯板の右及び左帯板表面の第１及び第２横長穴１６、１８に第１及び第２アンカーボルト４０をそれぞれ挿通して、それらの第１及び第２アンカーボルト下端のアンカー部４２を前記第１及び第２アンカー穴４６にそれぞれ打ち込み、それらの第１及びカーボルト４０を外柵コーナーの右及び左内側壁１３２、１３４下端にそれぞれ起立させた状態で固定する。
その後、ｃのステップにおいて、前記第１の止め金具１０の右及び左帯板表面の外方に突出する雄ネジが刻設された第１及び第２アンカーボルト部分にそれぞれ螺嵌された第１及び第２ナット４８をそれぞれ締め付けて、前記Ｌ字幅細帯板の右及び左帯板１５、１７を、外柵コーナーの右及び左内側壁１３２、１３４下端にそれぞれ圧接させた状態で固定する。
それに前後して、ｄのステップにおいて、前記第１の止め金具１０のＬ字帯板の右及び左帯板１５、１７を、それらを圧接させた状態で固定する墓所外柵コーナーの右及び左内側壁１３２、１３４下端にそれぞれあてがった状態において、その第１の止め金具の底板表面に開口された穴１９の直下に位置する外柵コーナーの内側に覗く基礎コンクリート床１１０に、その第１の止め金具の底板表面の穴１９に挿通する第３アンカーボルト下端のアンカー部４２を打ち込む第３アンカー穴４６を開口する。
次いで、ｅのステップにおいて、前記第１の止め金具の底板表面の穴１９に、第３アンカーボルト４０を挿通して、その第３アンカーボルト下端のアンカー部４２を、前記第３アンカー穴４６に打ち込み、外柵コーナーの内側に覗く基礎コンクリート床１１０に第３アンカーボルト４０を起立させた状態で固定する。
その後、ｆのステップにおいて、前記第１の止め金具１０の底板表面の外方に突出する雄ネジが刻設された第３アンカーボルト部分に螺嵌された第３ナット４８を締め付けて、その第１の止め金具の底板１４を外柵コーナーの内側に覗く基礎コンクリート床１１０に圧接させた状態で固定する。
それに前後して、ｇのステップにおいて、第２の止め金具２０のＬ字幅細帯板の右及び左帯板２５、２７をそれぞれ圧接させた状態で固定する墓所外柵コーナーの右及び左内側壁１３２、１３４中途部であって、その右及び左帯板の表面に開口された第４及び第５横長穴２６、２８の直下に位置する外柵コーナーの右及び左内側壁１３２、１３４中途部に、その右及び左帯板表面の第４及び第５横長穴に挿通する第４及び第５アンカーボルト下端のアンカー部４２を打ち込む第４及び第５アンカー穴４６をそれぞれ開口する。
次いで、ｈのステップにおいて、前記第２の止め金具２０のＬ字帯板の右及び左帯板表面の第４及び第５横長穴２６、２８に第４及び第５アンカーボルト４０をそれぞれ挿通して、それらの第４及び第５アンカーボルト下端のアンカー部４２を前記第４及び第５アンカー穴４６にそれぞれ打ち込み、それらの第４及び第５アンカーボルト４０を、外柵コーナーの右及び左内側壁１３２、１３４中途部にそれぞれ起立させた状態で固定する。
その後、ｉのステップにおいて、前記第２の止め金具２０の右及び左帯板表面の外方に突出する雄ネジが刻設された第４及び第５アンカーボルト部分にそれぞれ螺嵌された第４及び第５ナット４８をそれぞれ締め付けて、前記Ｌ字幅細帯板の右及び左帯板２５、２７を外柵コーナーの右及び左内側壁１３２、１３４中途部にそれぞれ圧接させた状態で固定する。
【００２６】
この第３の止め金具の使用方法によれば、その例えば３０ｃｍ前後の丈の高い外柵コーナーの右及び左内側壁１３２、１３４を、それらの右及び左内側壁下端に圧接させた状態で固定した第１の止め金具のＬ字幅細帯板の右及び左帯板１５、１７と、それらの左右の内側壁中途部に圧接させた状態で固定した第２の止め金具のＬ字幅細帯板の右及び左帯板２５、２７とを介して、それぞれ互いに動かぬように締結できる。それと共に、その外柵コーナーの内側に覗く基礎コンクリート床１１０に第３アンカーボルト４０を用いて固定した第１の止め金具の底板１４及びそれに連なるＬ字幅細帯板１２を介して、その丈の高い外柵コーナーの内側壁１３２、１３４を基礎コンクリート床１１０に動かぬように固定できる。
その際には、その第１及び第２の止め金具のＬ字幅細帯板１２、２２により、丈の高い外柵コーナーの右及び左内側壁１３２、１３４を、その内側壁１３２、１３４の上端及び中途部に第１及び第２の止め金具のＬ字幅細帯板１２、２２で覆われない適度な幅の空間をそれぞれ残して、互いに締結できる。
また、その第１及び第２の止め金具の第１、第２、第４又は第５横長穴１６、１８、２６、２８に挿通した第１、第２、第４又は第５アンカーボルト下端のアンカー部４２を、外柵コーナーの内側壁１３２、１３４下端又は中途部に開口された第１、第２、第４又は第５アンカー穴４６に打ち込む際には、その第１、第２、第４又は第５アンカー穴４６の位置が横にずれていても、それに合わせて、その第１、第２、第４又は第５アンカーボルト４０を第１、第２、第４又は第５横長穴１６、１８、２６、２８に沿って左右に移動させることができる。そして、その第１、第２、第４又は第５横長穴に挿通した第１、第２、第４又は第５アンカーボルト下端のアンカー部４２を、その位置が横にずれた第１、第２、第４又は第５アンカー穴４６に支障なく打ち込むことができる。
【００２７】
加えて、図６示した第１の止め金具の使用方法においては、前記第１ナット４８と右帯板１５との間、前記第２ナット４８と左帯板１７との間、前記第３ナット４８と底板１４との間に、座金７０をそれぞれ介在させている。
また、図７に示した第２の止め金具の使用方法においても、前記第１ナット４８と右帯板１５との間、前記第２ナット４８と左帯板１７との間、前記第７ナット４８と底板１４との間、前記第８ナット４８と底板１４との間に、座金７０をそれぞれ介在させている。
また、図８に示した第３の止め金具の使用方法においても、前記第１ナット４８と右帯板１５との間、前記第２ナット４８と左帯板１７との間、前記第３ナット４８と底板１４との間、前記第４ナット４８と右帯板２５との間、前記第５ナット４８と左帯板２７との間に、座金７０をそれぞれ介在させている。
そして、それらの座金７０の持つ弾性力を用いて、第１、第２、第３、第４、第５アンカーボルト４０に螺嵌されて締め付けられた第１、第２、第３、第４、第５ナット４８が緩むのを防ぐと共に、ボルト棒６０に螺嵌されて締め付けられた第７又は第８ナット４８が緩むのを防いでいる。
また、第１及び第２の止め金具のＬ字幅細帯板の右及び左表面に開口された第１、第２、第４及び第５横長穴１６、１８、２６、２８の幅を座金７０の外径近くまで広げて、それらの第１、第２、第４及び第５横長穴１６、１８、２６、２８に第１、第２、第４及び第５アンカーボルト４０を挿通し易くしたり、それらの第１、第２、第４及び第５横長穴１６、１８、２６、２８に挿通した第１、第２、第４及び第５アンカーボルト下端のアンカー部４２を第１、第２、第３、第４及び第５アンカー穴４６に打ち込み易くしたりしている。
同様に、第１の止め金具の底板表面に開口された穴１９の内径を座金７０の外径近くまで広げて、その穴１９に第３アンカーボルト４０又はボルト棒６０を挿通し易くしたり、その穴１９に挿通した第３アンカーボルト下端のアンカー部４２を第３アンカー穴４６に打ち込み易くしたり、又はその穴１９に挿通したボルト棒６０下端を第６アンカー上端に開口され雌ネジ穴５５に螺挿し易くしたりしている。
【産業上の利用可能性】
【００２８】
本発明の第１の止め金具を用いた、本発明の第１の止め金具の使用方法、本発明の第１の止め金具を用いた、本発明の第２の止め金具の使用方法、発明の第１及び第２の止め金具を用いた、本発明の第３の止め金具の使用方法は、墓所外柵コーナーの内側壁以外の、様々の壁コーナーの左右の内側壁を互いに締結すると共に、その壁コーナーの内側壁をその壁が置かれた基礎コンクリート床に締結するのに、広く利用可能である。
【図面の簡単な説明】
【００２９】
【図１】本発明の第１の止め金具の内側の斜視図である。
【図２】本発明の第１の止め金具の外側の斜視図である。
【図３】本発明の第２の止め金具の内側の斜視図である。
【図４】本発明の第２の止め金具の外側の斜視図である。
【図５】墓所の構造説明図である。
【図６】本発明の第１の止め金具の使用方法の説明図である。
【図７】本発明の第２の止め金具の使用方法の説明図である。
【図８】本発明の第３の止め金具の使用方法の説明図である。
【図９】アンカーボルトの使用状態説明図である。
【図１０】アンカーの使用状態説明図である。
【図１１】従来の止め金具の斜視図である。
【図１２】従来の止め金具の使用方法の説明図である。
【符号の説明】
【００３０】
１０  第１の止め金具
１２  Ｌ字幅細帯板
１４  底板
１５  右帯板
１６  第１横長穴
１７  左帯板
１８  第２横長穴
１９  穴
２０  第２の止め金具
２２  Ｌ字幅細帯板
２５  右帯板
２６  第４横長穴
２７  左帯板
２８  第５横長穴
３０  ダボ
４０  アンカーボルト
４２  アンカー部
４６  アンカー穴
４８  ナット
５０  第６アンカー
５５  雌ネジ穴
５６  第６アンカー穴
６０  ボルト棒
７０  座金
８０  止め金具
８２  Ｌ字幅広帯板
８４  右帯板
８４  底板
８５  左帯板
８８  丸穴
８９  丸穴
１００  遺骨収納部
１１０  基礎コンクリート床
１２０  墓石
１３０  外柵
１３２  右内側壁
１３４  左内側壁
【図１】
2009150191.tif 000003
【図２】
2009150191.tif 000004
【図３】
2009150191.tif 000005
【図４】
2009150191.tif 000006
【図５】
2009150191.tif 000007
【図６】
2009150191.tif 000008
【図７】
2009150191.tif 000009
【図８】
2009150191.tif 000010
【図９】
2009150191.tif 000011
【図１０】
2009150191.tif 000012
【図１１】
2009150191.tif 000013
【図１２】
2009150191.tif 000014